(57)【要約】【課題】インターホン機能をハンズフリー化するのに、搬送波の周波数を一つで実現することを目的とする。【解決手段】音声信号用の搬送波検知手段１４を設け、搬送波検知手段１４が搬送波を検知した場合は、受話手段７を起動するとともに、送話手段４を停止させる。これにより、音声通信のための搬送波を一つ使用するだけで、ハンズフリー通話が可能となり、簡単に、安価に構成することができる。【選択図】図１
2006170554.tif 000002
【特許請求の範囲】
【請求項１】
給湯機のふろリモコンと台所リモコンの間で通話可能なインターホン機能を備えた給湯機リモコンにおいて、音声信号用の搬送波検知手段を設け、搬送波検知手段が搬送波を検知した場合は、受話手段を起動するとともに、送話手段を停止させる給湯機リモコン。
【発明の詳細な説明】
【技術分野】
【０００１】
本発明は、浴室内外のリモコン間でインターホン機能を備えた給湯機のリモコンに関するものである。
【背景技術】
【０００２】
近年においても、浴室内で入浴中に亡くなられる方が、年間１万人以上にものぼっている。このような事態をふまえ、浴室暖房等、浴室での事故を防止する機器の普及が進められている。しかしながら、浴室で発生した事故を検知する機器については、機器が高価であったり、その設置が工事を伴うものであったり、なかなか普及できていない状況にある。
【０００３】
そのような中で、従来の、給湯機のリモコンに備えるインターホン機能を利用し、浴室内の音をモニターし、入浴者の状況を確認する給湯機のリモコンは知られている（例えば、特許文献１参照）。
【０００４】
このような給湯機のリモコンでは、浴室の音をふろリモコンのマイクで拾い、台所リモコンに送信することにより、台所リモコンのスピーカーで、浴室の音を常時聞くことができる。
【０００５】
さらに、給湯機のリモコンに備えるインターホン機能は、通話スイッチを押しながら話をするプレストーク方式から、最初に通話スイッチを押せば、あとは通話スイッチを押さなくても通話が可能なハンズフリー方式へと移行しつつある。
【０００６】
ハンズフリー方式については、電話で使われることが多い。そのハンズフリーを実現するために、送話と受話の音量レベルを比較して送話と受話を切り替えるボイススイッチング方式が一般的である（例えば特許文献２参照）。
【０００７】
このボイススイッチング方式では、受話と送話の音量レベルを比較する必要があるため、常時、音声信号の同時双方向（全二重）通信が必要である。このため、送話と受話を時分割多重方式で音声信号を同時双方向（全二重）通信したり、送話と受話で、搬送周波数を変えて同時双方向（全二重）を実現している（例えば特許文献３参照）。
【特許文献１】特開２００１−２０８４２２号公報
【特許文献２】特開平１１−２０５４３６号公報
【特許文献３】特許第３３５９２１３号公報
【発明の開示】
【発明が解決しようとする課題】
【０００８】
しかしながら、前記従来の給湯機のリモコンでは、ハンズフリーを実現するために音声信号の同時双方向（全二重）が必要であった。
【０００９】
また、給湯機のリモコンでは、リモコンでの温度設定データなどの音声以外のデータ通信も必要になる。
【００１０】
よって、音声信号の送話と受話、およびデータ通信を行うためには、時分割方式で、３時分割するか、搬送周波数を３つ持ち、周波数多重をしなければならなかった。時分割をするためには、音声データを圧縮して送り、受話側で伸張する機能が必要になる。また、周波数多重で構成するためには、３つの周波数を通信する回路が必要であった。
【００１１】
このように、従来のリモコンでは、ハンズフリー化のために構成が複雑になったり、コストが高くなるなどの課題を有していた。
【００１２】
本発明は、前記従来の課題を解決するもので、簡単な回路構成でハンズフリーを実現することを目的とする。
【課題を解決するための手段】
【００１３】
前記従来の課題を解決するために、本発明の給湯機のリモコンは、データ通信と音声信号を２つの周波数で周波数多重を構成し、その構成でハンズフリー化を実現するものである。
【００１４】
まず、送話側のリモコンが、マイクで音声を受ける。マイクで受けた音声が、音圧判定手段で設定レベル以上の音圧であると判定された場合は、マイコンが送話手段を起動する。送話手段で、搬送波に音声信号が変調され、音声通信手段で通信回線に送出される。受話側のリモコンでは、音声通信手段が音声通信周波数を選別する。搬送波検知手段が、音声信号の搬送波の有無を検知し、搬送波があれば、マイコンに搬送波検知信号を出す。マイコンは、搬送波検知信号がある場合に、受話手段を起動し、音声信号を復調し、スピーカーから音声を出力する。同時に、搬送波検知信号がある間は、送話手段を停止させる。送話側のリモコンで、話が終われば、音圧判定手段はマイクの音圧が設定レベル未満の音圧であると判断し、マイコンは送話手段を停止する。これにより、音声通信が終了する。受話側のリモコンでも、搬送波検知手段が搬送波なしを検知するので、マイコンは受話手段を停止させ、スピーカーから音声はでない。
【００１５】
次に反対側のリモコンで、音声による返答をした場合、そのリモコンが今度は送話側となり、前記手段で、同様の作用により、返答が相手側リモコンのスピーカーから発せられる。
【００１６】
このように、音声通信手段が一つ、つまり一つの搬送波で、送話と受話の双方の音声通信を交互に行うことにより、ハンズフリー通話が可能となる。
【発明の効果】
【００１７】
本発明の給湯機のリモコンは、音声通信のための搬送波を一つ使用するだけで、ハンズフリー通話が可能となり、簡単に、安価に構成することができる。
【発明を実施するための最良の形態】
【００１８】
第１の発明は、給湯機のふろリモコンと台所リモコンの間で通話可能なインターホン機能を備えた給湯機リモコンにおいて、音声信号用の搬送波検知手段を設け、搬送波検知手段が搬送波を検知した場合は、受話手段を起動するとともに、送話手段を停止させることにより、データ通信を行わずに、音声通信を開始でき、よって、同時双方向（全二重）通信の構成をとらずに、半二重通信（搬送波は一つの周波数）でハンズフリーが実現でき、簡単に、安価に構成できる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における給湯機のリモコンを備えた給湯機のブロック図を示すものである。ふろリモコンと、台所リモコンで、同一機能を有するブロックは、同一符号を付与し、ふろリモコン側をａ、台所リモコン側をｂとする。以降の説明で、ふろリモコンまたは台所リモコンの区分が必要のない説明の場合、ａまたはｂの区分記載を省略する。
【００２１】
図１において、ふろリモコン１では、通話時の音声は、マイク２ａから音圧判定手段３ａを通り、送話手段４ａにおいて搬送波で変調され、音声通信手段５ａから通信回線６に送出される。通信回線６から送られてきた音声信号は、音声通信手段５ａを通り、受話手段７ａで復調され、スピーカー８ａで音声となる。音声通信手段５ａと受話手段７ａの間には、搬送波検知手段１４ａが設けられ、音声通信の１２５ｋＨｚの搬送波を検出した場合、マイコン９ａに対して、搬送波検知信号を出す。
【００２２】
給湯機の温度設定の変更をふろリモコン１で行った場合（温度設定スイッチは図示せず）は、マイコン９ａから温度設定データをデータ通信手段１０ａに送り、データ通信手段１０ａから通信回線６にデータが送出される。通信回線６に送出された通信データは、台所リモコン１２、給湯機１３が受信する。
【００２３】
データ通信手段１０ａは、マイコン９ａから出されたデジタル信号（１または０のデータ列）を周波数が２５０ｋＨｚの搬送波に乗せる。また、音声通信手段５ａは、周波数が１２５ｋＨｚの搬送波のみを通過させる。
【００２４】
マイコン９ａは、音圧判定手段３ａ、送話手段４ａ、受話手段７ａ、データ通信手段１０ａ、通話スイッチ１１ａ、搬送波検知手段１４ａと接続されている。
【００２５】
台所リモコン１２の回路構成も、ふろリモコン１と同様なので、説明は省略する。
【００２６】
このように構成された給湯機のリモコンにおいて、どのようにハンズフリーの通話ができるのかを、説明する。
【００２７】
まず、通話を開始したい場合（例えば、ふろに入浴中の方が、台所にいる方に話しかけたい場合）、ふろリモコン１の通話スイッチ１１ａを押す。マイコン９ａは、通話スイッチ１１ａのオンを検知し、データ通信手段１０ａに対して、通話開始のデータを送る。データ通信手段１０ａは、通信回線６に対して、２５０ｋＨｚの搬送波に乗せたデータ通信を行う。台所リモコン１２は、データ通信手段１０ｂで通話開始のデータを受信し、マイコン９ｂに通話開始データを伝える。マイコン９ｂは、通話開始データを受け、呼び出し音（例えば、ピンポンパンポンなどのメロディ）をスピーカー８ｂから鳴らす。
【００２８】
ふろリモコン１では、マイク２ａが話し声を受ける。マイク２ａで受けた音は、音圧判定手段３ａで設定以上の音圧があると判定されれば、マイコン９ａは、送話手段４ａを起動し、搬送波１２５ｋＨｚで変調をかけ、音声通信手段５ａから音声信号を通信回線６に送出する。同時にマイコン９ａは、受話手段７ａを停止させる。
【００２９】
台所リモコン１２では、通信回線６に送られた音声信号が、音声通信手段５ｂを通過する。搬送波検知手段１４ｂで１２５ｋＨｚの搬送波を検知する。１２５ｋＨｚの搬送波の検知ができれば、マイコン９ｂは受話手段７ｂを起動し、音声信号を復調し、ふろリモコン１から送られた音声をスピーカー８ｂから出す。同時に、マイコン９ｂは、音圧判定手段３ｂが、台所リモコン１２のマイク２ｂが設定レベル以上の音圧を検知したとしても、送話手段４ｂを停止させる。これにより、スピーカー８ｂから出た音を、マイク２ｂが拾い、音圧判定手段３ｂ、送話手段４ｂ、音声通信手段５ｂを経由して、再度受話手段７ｂ、スピーカー８ｂで再生されるハウリング現象を回避することができる。ハンズフリー化で発生する課題であるハウリングは、このように回避できる。
【００３０】
入浴者からの話が終われば、ふろリモコン１のマイク２ａは音声を受けない。よって、音圧判定手段３ａは、音圧が設定レベル以下と判断し、マイコン９ａは送話手段４ａを停止させる。送話手段４ａは、１２５ｋＨｚの搬送波の送出を停止する。
【００３１】
台所リモコン１２では、搬送波検知手段１４ｂが１２５ｋＨｚの搬送波がないと判断する。マイコン９ｂは、受話回路７ｂを停止させる。同時に、送話手段４ｂの停止を解除する。
【００３２】
ふろ側からの話が終わり、台所側から返事をする場合は、通話スイッチ１１ｂを押すことなしに、そのままマイク２ｂに向かって話しかける。マイク２ｂが台所側の話し声を受け、音圧判定手段３ｂで設定以上の音圧があると判定されれば、マイコン９ｂは、送話手段４ｂを起動し、搬送波１２５ｋＨｚで変調をかけ、音声通信手段５ｂから通信回線６に送出する。同時にマイコン９ｂは、受話手段７ｂを停止させる。
【００３３】
このときのふろ側の受話動作は、ふろ側から話しかけたときの台所側の受話動作と同一である。この送話と受話の動きを繰り返すことにより、ハンズフリー通話が可能となる。
【００３４】
図２に、ハンズフリー通話のタイミングチャートを示す。図２（ａ）に、本発明の音声通信のタイミングチャートを示す。マイク２で受ける音声の音圧を、音圧判定手段３で判定し、音声があると判断した場合は、すぐに送話手段４で１２５ｋＨｚの変調をかけ、音声通信手段５で音声信号を送出する。比較のために、従来のデータ通信と音声通信のタイミングチャートを図２（ｂ）に示す。従来は、音声信号を送る場合、送話側のマイコン９が「送話」というデータを、データ通信手段１０により、通信回線６を介して、受話側のリモコンのデータ通信手段１０に送り、データ通信手段１０で復調された「送話」データがマイコン９で認識され、その後、受話手段７を起動させる。送話側リモコンでは、データ通信の後、送話手段４を起動し、音声を１２５ｋＨｚで変調し、音声通信手段５で通信回線６に、音声信号を送る。
【００３５】
このように、従来の送話手続きに対して、本発明の送話手続きは、データ通信を省略している。これにより、従来では、データ通信に要する時間分だけ、送話側リモコンのマイクが音声を受けても、その頭の部分が切れてしまうことを回避できる。例えば、データ通信に２００ｍｓかかるとすると、「もしもし」と話した場合、「・しもし」となることが、回避できる。すなわち、送話側から受話側に切り替わった使用者が送話側の話の頭の部分から受話することが出来る。これは受話側に搬送波検知回路１４を備えたことにより、データ通信を行わなくても、音声通信が開始されたことを認識できるためである。
【００３６】
このように、音声通信に使用する搬送波の周波数を一つのままで、つまり、半二重通信のままで、ハンズフリー通話が実現できるので、回路が簡略で、安価に構成できる。
なお、実施の形態１では、音声通信の搬送波の周波数を１２５ｋＨｚ、データ通信の搬送波の周波数を２５０ｋＨｚとしたが、特に周波数の設定に制限はない。
【００３７】
なお、搬送波検知手段１４は、例えば、音声信号をＡＭ変調した場合、受話手段７でダイオード検波回路などで復調するが、そのときの復調レベルを検知してもよい。
【産業上の利用可能性】
【００３８】
以上のように、本発明にかかる給湯機のリモコンは、ハンズフリー通話を簡単な構成で実現できるので、給湯機に限らず、浴室内外をインターホンで接続し、浴室状況の把握を行うようなインターホン機器や、見守り機能への展開が可能である。
【図面の簡単な説明】
【００３９】
【図１】本発明の実施の形態１における給湯機のリモコンを備えた給湯機のブロック図
【図２】（ａ）本発明の実施の形態１における給湯機のリモコンの音声通信のタイミングチャート（ｂ）従来の給湯機のリモコンの音声通信のタイミングチャート
【符号の説明】
【００４０】
１  ふろリモコン
４ａ、４ｂ  送話手段
７ａ、７ｂ  受話手段
１２  台所リモコン
１４ａ、１４ｂ  搬送波検知手段
【図１】
2006170554.tif 000003
【図２】
2006170554.tif 000004